(57)【要約】【課題】  グラウト注入用のチューブとグラウト注入口との接続を簡単かつ確実に強固に得ることができ、定着金物又は継手金物と鉄筋との隙間にグラウトを簡単かつ確実に注入することができるグラウト注入用プラグを提供すること。【解決手段】    略円筒状の本体部１と、当該本体部１の長さ方向の中間部分に突出形成されたフランジ部２と、を有し、当該フランジ部２の下側の前記本体部１を定着金物Ｎ又は継手金物Ｓのグラウト注入口Ｈに差し込んで固定でき、当該フランジ部２の上側の前記本体部１にグラウト注入用のチューブＴを嵌めて連結固定できるグラウト注入用プラグＰ１。【選択図】図１
0003198408.tif 000002
【実用新案登録請求の範囲】
【請求項１】
略円筒状の本体部と、
当該本体部の長さ方向の中間部分に突出形成されたフランジ部と、を有し、
当該フランジ部の下側の前記本体部を定着金物又は継手金物のグラウト注入口に差し込んで固定でき、
当該フランジ部の上側の前記本体部にグラウト注入用のチューブを嵌めて連結固定できることを特徴とするグラウト注入用プラグ。
【請求項２】
前記本体部と前記フランジ部は合成樹脂にて一体成形されており、
前記フランジ部の下側の前記本体部には、当該本体部の長手方向に沿ったリブが形成されていることを特徴とする請求項１に記載のグラウト注入用プラグ。
【請求項３】
前記本体部は、上端側が先細りとなるように上端部ほど外径が小さく形成されていることを特徴とする請求項１又は２に記載のグラウト注入用プラグ。
【請求項４】
前記本体部は、下端側が先細りとなるように下端部ほど外径が小さく形成されていることを特徴とする請求項２又は３に記載のグラウト注入用プラグ。
【請求項５】
前記フランジ部は、板状であって、その上側面には、滑り止めのための突起又は突条が設けられていることを特徴とする請求項１〜４のいずれか一項に記載のグラウト注入用プラグ。
【請求項６】
略円筒状の本体部と、
当該本体部の上部側に突出形成されたフランジ部と、を有し、
当該フランジ部の下側の前記本体部を定着金物又は継手金物のグラウト注入口に差し込んで固定でき、
当該フランジ部の上側にグラウト注入用のチューブを嵌めて連結固定できるグラウト注入用プラグであって、
前記本体部と前記フランジ部が合成樹脂にて一体成形されており、
前記フランジ部の下側の前記本体部には、当該本体部の長手方向に沿ったリブが形成されていることを特徴とするグラウト注入用プラグ。
【請求項７】
前記フランジ部の下側面には、グラウト注入口周辺の密封性を高めるための柔軟材が配置されていることを特徴とする請求項２又は６に記載のグラウト注入用プラグ。
【請求項８】
前記フランジ部の下側面には、グラウト注入口周辺の定着金物又は継手金物に対する固定のための接着剤又は粘着剤が配置されていることを特徴とする請求項１〜７のいずれか一項に記載のグラウト注入用プラグ。
【考案の詳細な説明】
【技術分野】
【０００１】
本考案は、鉄筋コンクリート製の建造物を建築する際に使用するグラウト注入用プラグに関するものであって、鉄筋の端部をコンクリート内にて定着させるために、フランジを有する筒状又は有底円筒状の定着金物（ナット）を鉄筋の端部に装着し、当該鉄筋の端部と定着金物との間に定着材（接着剤、グラウト）を注入する際に、定着金物に透設したグラウト注入口（透孔）に一端部を装着して固定することができ、他端部にグラウト注入用のチューブを接続することができるグラウト注入用プラグに関するものである。
また、本考案は、鉄筋同士をコンクリート内にて接続するための筒状の継手金物と鉄筋との間に定着材を注入する際に、継手金物に透設したグラウト注入口に一端部を装着し、他端部にグラウト注入用のチューブを接続することができるグラウト注入用プラグに関するものである。
【背景技術】
【０００２】
従来、鉄筋の端部をコンクリート内にて定着させるために、雌ネジが形成された筒部の端部にフランジを有する定着金物を鉄筋の端部に装着し、当該鉄筋の端部と定着金物との間にグラウトを注入する「プレートナット工法」を行う際には、グラウト注入用のチューブの端部を定着金物に透設したグラウト注入口に接続している。
また、筒状の継手金物と鉄筋との間に定着材を注入する際にも、グラウト注入用のチューブの端部を継手金物に透設したグラウト注入口に接続している。
【０００３】
上記グラウト注入用のチューブと、グラウト注入口との接続に際しては、樹脂製の短い円筒状の管をグラウト注入用のチューブの先端部に差し込んで嵌め込み、その管の他端部をグラウト注入口に差し込むことが行われている。
【０００４】
しかしながら、樹脂製の短い円筒状の管の他端部は、グラウト注入口に手によって押し込むようにして差し込まれているだけであるため、管の他端部とグラウト注入口との接続強度はそれほど強くない。従って、建築作業中にグラウト注入用のチューブが引っ張られると、管の他端部がグラウト注入口から外れてしまって、グラウトを定着金物又は継手金物内に注入することができなくなるという問題がある。
【０００５】
また、グラウト注入用のチューブの先端部に固定された管と、グラウト注入口との間に隙間があると、コンクリートまたはグラウトがグラウト注入口を介して漏れてしまうという問題がある。
【先行技術文献】
【特許文献】
【０００６】
【特許文献１】特開２００９−２７０３６４号公報
【非特許文献】
【０００７】
【非特許文献１】東京鉄鋼株式会社、“プレートナット工法  設計指針  （財）日本建築センター  一般評定  ＢＣＪ評定―ＲＣ０１５２−０７”、東京鉄鋼株式会社
【考案の概要】
【考案が解決しようとする課題】
【０００８】
そこで、本考案が解決しようとする課題は、従来のグラウト注入用のチューブと、グラウト注入口との接続が不安定であり、定着金物又は継手金物と鉄筋との間の隙間を埋めて定着金物又は継手金物と鉄筋とを確実に固定することができないことがあるという問題などを解決し、グラウト注入用のチューブと、グラウト注入口との接続を簡単かつ確実に強固に得ることができ、定着金物又は継手金物と鉄筋との隙間にグラウトを簡単かつ確実に注入することができるグラウト注入用プラグを提供することを目的とする。
【０００９】
さらに、本考案は、グラウト注入用のチューブの先端部に固定された管と、グラウト注入口との間の隙間からコンクリートまたはグラウトが漏れてしまうという従来の課題を解決し、グラウト注入用のチューブと、グラウト注入口との間の隙間を確実に塞ぎ、コンクリートまたはグラウトがグラウト注入口を介して漏れてしまうことがないグラウト注入用プラグを提供することを目的とする。
【課題を解決するための手段】
【００１０】
上記課題を解決するため、請求項１に記載の本考案は、
「略円筒状の本体部と、
当該本体部の長さ方向の中間部分に突出形成されたフランジ部と、を有し、
当該フランジ部の下側の前記本体部を定着金物又は継手金物のグラウト注入口に差し込んで固定でき、
当該フランジ部の上側の前記本体部にグラウト注入用のチューブを嵌めて連結固定できることを特徴とするグラウト注入用プラグ。」を特徴とする。
【００１１】
請求項２に記載の本考案は、
「前記本体部と前記フランジ部は合成樹脂にて一体成形されており、
前記フランジ部の下側の前記本体部には、当該本体部の長手方向に沿ったリブが形成されていることを特徴とする請求項１に記載のグラウト注入用プラグ。」を特徴とする。
請求項３に記載の考案は、
「前記本体部は、上端側が先細りとなるように上端部ほど外径が小さく形成されていることを特徴とする請求項１又は２に記載のグラウト注入用プラグ。」を特徴とする。
【００１２】
請求項４に記載の本考案は、
「前記本体部は、下端側が先細りとなるように下端部ほど外径が小さく形成されていることを特徴とする請求項２又は３に記載のグラウト注入用プラグ。」を特徴とする。
請求項５に記載の本考案は、
「前記フランジ部は、板状であって、その上側面には、滑り止めのための突起又は突条が設けられていることを特徴とする請求項１〜４のいずれか一項に記載のグラウト注入用プラグ。」を特徴とする。
【００１３】
請求項６に記載の考案は、
「略円筒状の本体部と、
当該本体部の上部側に突出形成されたフランジ部と、を有し、
当該フランジ部の下側の前記本体部を定着金物又は継手金物のグラウト注入口に差し込んで固定でき、
当該フランジ部の上側にグラウト注入用のチューブを嵌めて連結固定できるグラウト注入用プラグであって、
前記本体部と前記フランジ部が合成樹脂にて一体成形されており、
前記フランジ部の下側の前記本体部には、当該本体部の長手方向に沿ったリブが形成されていることを特徴とするグラウト注入用プラグ。」を特徴とする。
【００１４】
請求項７に記載の本考案は、
「前記フランジ部の下側面には、グラウト注入口周辺の密封性を高めるための柔軟材が配置されていることを特徴とする請求項２又は６に記載のグラウト注入用プラグ。」を特徴とする。
請求項８に記載の本考案は、
「前記フランジ部の下側面には、グラウト注入口周辺の定着金物又は継手金物に対する固定のための接着剤又は粘着剤が配置されていることを特徴とする請求項１〜７のいずれか一項に記載のグラウト注入用プラグ。」を特徴とする。
【００１５】
なお、本明細書中において、「本体部の上部側、「フランジ部の上側」、「フランジ部の下側」などの文言は、説明の便宜上用いている表現であり、実際の建築現場における使用時において、グラウト注入用プラグが定着金物又は継手金物に固定される向きは、あらゆる方向であってもよい。
【考案の効果】
【００１６】
請求項１に記載のグラウト注入用プラグにおいては、本体部に突出形成されたフランジ部を利用して、当該フランジ部の下側面がグラウト注入口の周辺部に当接するまで、当該フランジ部の下側の前記本体部を定着金物又は継手金物のグラウト注入口に強く差し込んで固定することができる。
即ち、フランジ部を工具で叩くようにしてグラウト注入用プラグをグラウト注入口に強く差し込むこともでき、また、フランジ部がグラウト注入口の周辺部に当接することで、本体部の下側の適切な長さ分をグラウト注入口に対して迅速に、しかも簡単かつ確実に嵌め込むことができる。
さらに、本体部の下側の適切な長さ分がグラウト注入口に差し込まれていることを簡単に確認することができる。
【００１７】
また、フランジ部の下側面がグラウト注入口の周辺部に当接することで、グラウト注入口周辺の密封性を得ることにも役立てることができる。
さらに、フランジ部の上から針金（番線）を巻き付けることで、グラウト注入用プラグが定着金物又は継手金物から外れることをより一層確実に防止することも可能となる。
【００１８】
請求項２に記載のグラウト注入用プラグにおいては、フランジ部の下側の本体部に形成されたリブがグラウト注入口の内面に強く当接し、当該リブ又はフランジ部の下側の本体部が若干変形するなどしてグラウト注入用プラグとグラウト注入口との接続・固定状態をより一層強固なものとすることができる。
なお、フランジ部の下側の本体部の外径をグラウト注入口の内径と一致させると、フランジ部の下側の本体部をグラウト注入口に差し込み難くなるが、リブを設けることで、フランジ部の下側の本体部の外径を若干小さめとしてグラウト注入口に差し込み易くすることもできる。
また、フランジ部の下側の本体部の外径と、グラウト注入口の内径との間に若干の寸法誤差があっても、リブによって寸法誤差を吸収し、グラウト注入用プラグとグラウト注入口との接続・固定状態を確保することができる。
【００１９】
請求項３に記載のグラウト注入用プラグにおいては、グラウト注入用のチューブの先端部を、上端部ほど外径が小さく形成されている本体部の上端側に差し込む作業を簡単に行うことができ、かつ、グラウト注入用のチューブの先端部を深く差し込むほど当該チューブとグラウト注入用プラグとの接続状態を強固なものとすることができる。
請求項４に記載のグラウト注入用プラグにおいては、下端部ほど外径が小さく形成されている本体部の下端部をグラウト注入口に差し込む作業を簡単に行うことができ、かつ、本体部の下端部を深く差し込むほど当該本体部と定着金物又は継手金物との接続状態・固定状態を強固なものとすることができる。
また、フランジ部の本体部の外径と、グラウト注入用のチューブ又はグラウト注入口との間に若干の寸法誤差があっても、その寸法誤差を吸収し、グラウト注入用プラグと、グラウト注入用のチューブ又はグラウト注入口との接続・固定状態を確保することができる。
【００２０】
請求項５に記載のグラウト注入用プラグにおいては、フランジ部の上から針金（番線）を巻き付ける場合において、針金が滑り止めのための突起又は突条によってフランジ部から外れることを防止でき、グラウト注入用プラグが定着金物又は継手金物から外れることをより一層確実に防止することができる。
請求項６に記載のグラウト注入用プラグにおいては、前記請求項１及び２に記載のグラウト注入用プラグと同様に、本体部に突出形成されたフランジ部を利用して、当該フランジ部の下側面がグラウト注入口の周辺部に当接するまで、当該フランジ部の下側の前記本体部を定着金物又は継手金物のグラウト注入口に強く差し込んで簡単かつ確実に固定することができる。
また、フランジ部の下側の本体部に形成されたリブがグラウト注入口の内面に強く当接し、グラウト注入用プラグとグラウト注入口との接続・固定状態をより一層強固なものとすることができる。
【００２１】
請求項７に記載のグラウト注入用プラグにおいては、フランジ部の下側面に配置された柔軟材（ゴムやスポンジのようなパッキン材）がグラウト注入口の周辺部に密着し、グラウト注入用プラグと、グラウト注入口との間の隙間を確実に塞ぎ、コンクリートまたはグラウトがグラウト注入口を介して漏れてしまうことを防止することができる。
請求項８に記載のグラウト注入用プラグにおいては、フランジ部の下側面に配置された接着剤又は粘着剤によって、フランジ部をグラウト注入口周辺の定着金物又は継手金物に対して確実に、より一層強固に固定することができる。
【図面の簡単な説明】
【００２２】
【図１】図１は本考案のグラウト注入用プラグと定着金物を示す斜視図、グラウト注入用プラグの正面図及び断面図である。
【図２】図２は本考案のグラウト注入用プラグを示す断面図、斜視図及び正面図である。
【図３】図３は本考案のグラウト注入用プラグを示す斜視図、正面図及び一部断面図である。
【考案を実施するための形態】
【００２３】
以下、本考案の一実施形態について説明する。
図１及び図２（Ａ）に示すように、本考案を具体化したグラウト注入用プラグＰ１は、略円筒状の本体部１と、当該本体部１の長さ方向の中間部分に突出形成された四角板状のフランジ部２と、を有している。
そして、前記本体部１と前記フランジ部２は、ポリプロピレン、塩化ビニル又はポリエチレンなどの合成樹脂から一体成形にて容易に製造可能である。
また、前記本体部１は、上端側が先細りとなるように上端部ほど外径が小さく形成されており、さらに、前記本体部１は、下端側が先細りとなるように下端部ほど外径が小さく形成されている。
【００２４】
ここで、前記グラウト注入用プラグＰ１において、前記フランジ部２の上側面には、滑り止めのための突条２ａが４本設けられている。
この突条２ａは、針金がフランジ部２から外れ落ちることを防止するためのものであり、それらのうちの２本は、フランジ部２の向き合った辺縁部に沿って平行に形成するとよい。
前記フランジ部２の下側面には、グラウト注入口Ｈ周辺の密封性を高めるための柔軟材４が配置されている。この柔軟材４は、好適には薄い板状のゴムやスポンジのようなものから選択されるパッキン材であって、前記フランジ部２の下側面に貼り付けられることなどによって適宜固定されるものであるが、他の材料から構成したり、省略することも可能である。
【００２５】
定着金物Ｎは、図１（Ｂ）に示すように、一端部に円環状のフランジを備えた六角ナットのような形状のものの他、図１（Ｃ）に示すように、一端部を円盤状のフランジにて閉塞した有底筒状の六角ナットのような形状のものなどが知られている。
継手金物Ｓとしては、全体が円筒状のもの及び楕円筒状のものが知られている。
本考案のグラウト注入用プラグは、グラウト注入口Ｈを有しているあらゆる形状の定着金物Ｎ又は継手金物Ｓといった、鉄筋Ｒに装着される金物に対して使用できる。
【００２６】
前記フランジ部２の下側の前記本体部１外面には、当該本体部１の長手方向に沿った４本の細長いリブ３が約９０度間隔にて形成されている。
これにより、リブ３がグラウト注入口の内面に強く当接し、グラウト注入用プラグＰ１とグラウト注入口Ｈとの接続・固定状態をより一層強固なものとすることができる。
このリブ３は、グラウト注入口Ｈの内面に強く当接することで押しつぶされてグラウト注入用プラグＰ１とグラウト注入口Ｈとの隙間を塞ぐようになっているものであってもよい。
【００２７】
なお、前記一実施形態のグラウト注入用プラグＰ１は、前記フランジ部２の形状を正方形状としたが、図２（Ｂ）に示すような長方形状のフランジ部２を有するグラウト注入用プラグＰ２として実施してもよい。
また、前記リブ３は、前記フランジ部２の下側の前記本体部１において、図２（Ｃ）に示すグラウト注入用プラグＰ３のように、中央部〜下端部付近、或いは、下端部付近にのみ形成して実施してもよい。
さらに、図２（Ｄ）に示すグラウト注入用プラグＰ４のように、リブ３を省略して実施してもよい。
【００２８】
上記構成されたグラウト注入用プラグＰ１〜Ｐ４においては、フランジ部２の下側の前記本体部１を定着金物Ｎ又は継手金物Ｓのグラウト注入口Ｈに差し込んで固定でき、当該フランジ部２の上側の前記本体部１にグラウト注入用のチューブＴを嵌めて連結固定できる。
そして、グラウト注入用プラグＰ１〜Ｐ４と、グラウト注入口Ｈ及びグラウト注入用のチューブＴとの連結状態・固定状態を極めて強固なものとすることができ、建築作業中にグラウト注入用のチューブＴが引っ張られることがあっても、グラウト注入用のチューブＴとグラウト注入口Ｈとの接続が外れることはない。
【００２９】
よって、本考案のグラウト注入用プラグＰ１〜Ｐ４は、迅速に、簡単かつ確実にグラウト注入用のチューブＴとグラウト注入口Ｈとを接続することができ、コンクリートの打設前に、或いは、コンクリートの打設後において、筒状の本体部１を介して定着金物Ｎ又は継手金物Ｓと、鉄筋Ｒとの間の隙間にグラウトＧを正しく注入することができる。
【００３０】
本考案のグラウト注入用プラグは、上記各実施形態及び実施例の具体的構成に限定されるものではなく、本考案の趣旨を逸脱しない範囲で前記本体部１、フランジ部２、突条２ａ、リブ３などの大きさ、長さ、形状、材質、厚さなどを適宜変更して実施してもよい。
【００３１】
例えば、リブ３の本数は、１本〜１２本程度の範囲で適宜変更可能であるが、グラウト注入用プラグの材質、リブ３の幅、リブ３の長さ、本体部１の肉厚などの違いに応じて適宜変更可能で有り、これらの本数に限定されるものではない。
また、リブ３は、本体部１の外周に沿って上下方向にらせん状に１本〜４本程度形成されていてもよい。
【００３２】
さらに、本考案のグラウト注入用プラグは、図２（Ｅ）に示すグラウト注入用プラグＰ５のように、前記フランジ部２の下側面に、グラウト注入口Ｈ周辺の定着金物Ｎ又は継手金物Ｓに対する固定のための接着剤又は粘着剤５が配置されているものであってもよい。
また、本考案のグラウト注入用プラグは、図３（Ａ）に示すような円盤状のフランジ部２を有するグラウト注入用プラグＰ６として実施してもよく、さらには、５角形状、６角形状などといったその他の多角形状のフランジ部２を有するグラウト注入用プラグとして実施してもよい。
【００３３】
なお、本考案のグラウト注入用プラグの一実施形態として、フランジ部２の上側面に、前記突条（溝）に代えて、複数個の突起を形成して針金が滑らないようにして実施してもよい。
さらに、上記の実施形態のグラウト注入用プラグＰ１〜Ｐ５について、図３（Ａ）に示すグラウト注入用プラグＰ６のように、フランジ部２の上側面に前記突条２ａ又は突起を設けないで実施することもできる（図３（Ｂ）参照）。
【００３４】
上記の実施形態のグラウト注入用プラグＰ１〜Ｐ６においては、フランジ部２の形状を板状としていたが、図３（Ｃ）〜（Ｅ）に示すグラウト注入用プラグＰ７，Ｐ８のように、フランジ部２の形状を有底円筒状とし、本体部１の上部側に突出するように形成されたフランジ部２を設け、本体部１の上部側に接続されるグラウト注入用のチューブＴの外周面をフランジ部２の内周面が覆うようにして実施してもよい。
【００３５】
このような構成とすることで、グラウト注入用プラグＰ７，Ｐ８のフランジ部２と、グラウト注入用のチューブＴの外周面との間の摩擦力をも利用し、グラウト注入用のチューブＴとグラウト注入用プラグＰ７，Ｐ８との連結を強化するとともに、グラウト注入用プラグＰ７，Ｐ８の強度を高めることもできる。
【産業上の利用可能性】
【００３６】
以上のように、本考案のグラウト注入用プラグは、樹脂成形技術などを用いて工業的に製造容易であって、迅速に、簡単かつ確実にグラウト注入用のチューブとグラウト注入口とを接続することができ、定着金物又は継手金物の内部にグラウトを正しく注入して建築物に期待される強度を確実に得ることができるグラウト注入用プラグとして産業上利用可能である。
【符号の説明】
【００３７】
１    本体部
２    フランジ部
２ａ    突条
３    リブ
４    柔軟材
５    接着剤又は粘着剤
Ｇ    グラウト
Ｈ    グラウト注入口
Ｎ    定着金物
Ｐ１〜Ｐ８    グラウト注入用プラグ
Ｒ    鉄筋（異形鉄筋）
Ｓ    継手金物
Ｔ    グラウト注入用のチューブ
【図１】
0003198408.tif 000003
【図２】
0003198408.tif 000004
【図３】
0003198408.tif 000005